(57)【要約】【課題】装置フレームとサイドハウジングと間隙を最小化することで小型化を実現した記録装置を提供する。【解決手段】記録媒体を搬送路に沿って送る搬送部１１と、記録媒体に印刷処理を行う印刷部１２と、を有する装置フレーム３１と、装置フレーム３１の両側部を覆う一対のサイドハウジング部３２と、を備え、一対のサイドハウジング部３２を装置フレーム３１に各々取り付けるため、装置フレーム３１の両側部には、各サイドハウジング部３２の内面部６０を添わせる外面部５１が各々形成されている。【選択図】図３
2012143959.tif 000002
【特許請求の範囲】
【請求項１】
記録媒体を搬送路に沿って送る搬送部と、前記記録媒体に印刷処理を行う印刷部と、を有する装置フレームと、
前記装置フレームの両側部を覆う一対のサイドハウジングと、を備え、
前記一対のサイドハウジングを前記装置フレームに各々取り付けるため、前記装置フレームの両側部には、前記サイドハウジングの内面部を添わせる外面部が各々形成されていることを特徴とする記録装置。
【請求項２】
前記外面部の複数が、前記装置フレームの両側部に分散して配置されていることを特徴とする請求項１に記載の記録装置。
【請求項３】
前記各サイドハウジングの前記内面部には、内側に向かってフック部が突設され、
前記装置フレームの前記両側部には、前記フック部が掛合する掛合部が設けられ、
前記各サイドハウジングは、前記フック部が前記掛合部に掛合して前記装置フレームに取り付けられていることを特徴とする請求項１または２に記載の記録装置。
【請求項４】
少なくとも一方の前記サイドハウジングの一部分が、前記装置フレームに対し、ネジ止め固定されていることを特徴とする請求項１ないし３のいずれかに記載の記録装置。
【請求項５】
少なくとも一方の前記サイドハウジングの前記内面部には、前記装置フレームの前記外面部が配置されていない部分に当接するボス部が配置されていることを特徴とする請求項１ないし４のいずれかに記載の記録装置。
【請求項６】
前記外面部は、格子状のリブで構成されたものが含まれていることを特徴とする請求項１ないし５のいずれかに記載の記録装置。
【請求項７】
前記装置フレームは、
ボトムフレーム部および一対のサイドフレーム部を有するフレームベースと、
前記一対のサイドフレーム部間に渡した補強フレームと、を有し、
前記補強フレームを覆うと共に、前記一対のサイドハウジング部を連結する連結ハウジング部を、さらに備えていることを特徴とする請求項１ないし６のいずれかに記載の記録装置。
【発明の詳細な説明】
【技術分野】
【０００１】
本発明は、記録媒体を搬送路に沿って送り、印刷処理を行う記録装置に関する。
【背景技術】
【０００２】
従来、電子機器の内部装置を支持する装置フレーム（本体フレーム）と、一対のサイドカバー、リヤカバー、フロントカバーおよびトップカバーを用いて箱状に形成され、装置フレームを覆うように取り付けられたハウジングと、を備えた記録装置が知られている（特許文献１参照）。
一対のサイドカバーは、装置フレームの係合部に係合するとともに、トップカバーに嵌合して正確に位置決めされる。すなわち、ハウジング全体としては、装置フレームとの間に一定の間隙を有した状態で取り付けられている。
【先行技術文献】
【特許文献】
【０００３】
【特許文献１】特開２００９−１６９１２６号公報
【発明の概要】
【発明が解決しようとする課題】
【０００４】
しかし、従来の記録装置では、落下試験等における耐衝撃性を確保するために、箱状に組み立てられたハウジングが、装置フレーム全体を覆う形状であると共に、装置フレームとハウジングとの間に一定の間隙が設けられていることから、記録装置が大型化してしまうという問題があった。
【０００５】
本発明は、装置フレームとサイドハウジングと間隙を最小化することで小型化を実現した記録装置を提供することを課題とする。
【課題を解決するための手段】
【０００６】
本発明の記録装置は、記録媒体を搬送路に沿って送る搬送部と、記録媒体に印刷処理を行う印刷部と、を有する装置フレームと、装置フレームの両側部を覆う一対のサイドハウジングと、を備え、一対のサイドハウジングを装置フレームに各々取り付けるため、装置フレームの両側部には、サイドハウジングの内面部を添わせる外面部が各々形成されていることを特徴とする。
【０００７】
この構成によれば、各サイドハウジングが装置フレームの両側面に設けられた外面部に添うことで、装置フレームと各サイドハウジングとの間隙を極力小さく（狭く）することができる。また、各サイドハウジングのみならず、装置フレームが、外部からの衝撃を受けることとなる。これにより、各サイドハウジングが主な外観を形成する電子機器の耐衝撃性を高く維持しつつ、小型化を図ることができる。また、各サイドハウジングの内面部に補強のためのリブ等を設ける必要がないため、各サイドハウジングを薄く軽量に構成することができる。なお、装置フレームの「外面部」は、サイドハウジングの内面部に添うように、または、一部が接触するように設けられている。添うように設けられている場合、装置フレームと各サイドハウジングとの間隙は、製造上の誤差を考慮し、微小な間隙を生ずるように設計することが好ましい。
【０００８】
この場合、外面部の複数が、装置フレームの少なくとも両側部に分散して配置されていることが好ましい。
【０００９】
この構成によれば、分散配置された各外面部に対応するように各サイドハウジングの内面部を設ければよい。これにより、内面部以外の部分、すなわち、各サイドハウジング（電子機器）の外観を、任意の形状に形成することができ、且つ、各サイドハウジングを薄手に形成しても、その全体の外観形状を維持することができる。
【００１０】
この場合、各サイドハウジングの内面部には、内側に向かってフック部が突設され、装置フレームの両側部には、フック部が掛合する掛合部が設けられ、各サイドハウジングは、フック部が掛合部に掛合して装置フレームに取り付けられていることが好ましい。
【００１１】
この構成によれば、フック部と掛合部とが掛合したときの遊び（寸法公差）が、装置フレームと各サイドハウジングとの間隙距離となる。すなわち、装置フレームとの間に、極力小さな間隙を存して各サイドハウジングを取り付けることができる。これにより、電子機器の小型化を図ると共に、各サイドハウジングの衝撃強度を向上させることができる。
【００１２】
また、この場合、少なくとも一方のサイドハウジングの一部分が、装置フレームに対し、ネジ止め固定されていることが好ましい。
【００１３】
この構成によれば、少なくとも一方のサイドハウジングは、強固に固定されるため、装置フレームとサイドハウジングとの間隙を適切に維持することができる。
【００１４】
この場合、少なくとも一方の前記サイドハウジングの前記内面部には、装置フレームの外面部が配置されていない部分に当接するボス部が配置されていることが好ましい。
【００１５】
この構成によれは、外面部が存在しない部分であっても、装置フレームに対し、サイドハウジングを支持させることができ、外部からの衝撃にも耐え得ることができる。
【００１６】
この場合、外面部は、格子状のリブで構成されたものが含まれていることが好ましい。
【００１７】
この構成によれば、各サイドハウジングの内面部は、格子状のリブに対峙することとなる。これにより、外力で各サイドハウジングが撓んだとしても、格子状のリブが内面部をしっかりと支持することができる。すなわち、各サイドハウジングは、外装としての耐衝撃性を有する必要は無く、外観形状維持のための必要最低限の強度を有していればよい。
【００１８】
この場合、装置フレームは、ボトムフレーム部および一対のサイドフレーム部を有するフレームベースと、一対のサイドフレーム部間に渡した補強フレームと、を有し、補強フレームを覆うと共に、一対のサイドハウジング部を連結する連結ハウジング部を、さらに備えていることが好ましい。
【００１９】
この構成によれば、各サイドハウジング部の間隔は、連結ハウジング部により、一定に保持される。これより、装置フレームと各サイドハウジングとの間に設けられた僅かな間隙を一定に維持することができる。また、装置フレームの両側部方向のみならず、高さ方向の寸法を小さくすることができ、さらに電子機器の小型化を図ることができる。
【図面の簡単な説明】
【００２０】
【図１】（ａ）は、スキャナー装置を閉じた状態の複合機の外観斜視図であり、（ｂ）は、記録装置の内部構造を示した平面図である。
【図２】記録装置の外装装置の斜視図である。
【図３】記録装置の外装装置の分解斜視図である。
【図４】装置フレームのライトフレーム部を示した部分斜視図である。
【図５】装置フレームのレフとフレーム部を示した部分斜視図である。
【図６】（ａ）は、外装装置の平面図であり、（ｂ）は、ハウジングライト部の斜視図である。
【図７】ハウジングライト部および連結ハウジング部の下方からの斜視図である。
【図８】ハウジングレフト部および連結ハウジング部の下方からの斜視図である。
【発明を実施するための形態】
【００２１】
以下、添付した図面を参照して、本発明の一実施形態に係る記録装置を有する複合機について説明する。なお、各図に示す通り、Ｘ軸（前後）方向、Ｙ軸（左右）方向およびＺ軸（上下）方向を規定して、以降説明する。
【００２２】
図１（ａ）に示すように、複合機１は、記録媒体をＸ軸方向に搬送可能に構成され、記録媒体に対し、インクジェットヘッド２７を相対的に移動させながら機能液滴を吐出して、記録媒体上に描画を行う記録装置２と、記録装置２の上部において後端部のヒンジ部（図示省略）を介して回動自在に支持され、搭載された画像読取部により画像を読み取るスキャナー装置３と、を一体に備えている。
【００２３】
図１（ｂ）に示すように、記録装置２は、枚葉の記録媒体（印刷用紙や単票紙）を搬送路に沿って送る搬送部１１と、搬送路の上側に配設され、記録媒体にインクジェット方式で印刷処理を行う印刷部１２と、搬送部１１および印刷部１２を搭載すると共に外観形状を構成する外装装置１３（図２参照）と、を備えている。
【００２４】
搬送部１１は、記録媒体の搬送路の上流側から順に、記録媒体を搬送路に沿って印刷部１２に送り込む給紙ローラー２１と、インクジェットヘッド２７に対面する媒体規制部材２２（プラテンに相当する。）と、鋸歯状のガイドローラー２３と、排出口２５から記録媒体を送り出す排紙ローラー２４と、を備えている。
【００２５】
印刷部１２は、後述するガイドフレーム３４に対し、往復動自在に支持されたキャリッジユニット２６と、キャリッジユニット２６をガイドフレーム３４に沿って往復動させるキャリッジ移動機構（図示省略）と、を備えている。そして、このキャリッジユニット２６に、インクジェットヘッド２７および複数（４個）のインクカートリッジ２８が搭載されている。
【００２６】
記録媒体は、用紙トレイ２９から１枚ずつ、搬送路上に送り込まれ、給紙ローラー２１により媒体規制部材２２上を排紙ローラー２４に向かってＸ軸方向に間欠送り（副走査）される。この間欠送りに同期して、キャリッジユニット２６がＹ軸方向に往復動（主走査）しながらインクを選択的に吐出して所望の印刷が行われる。一方、媒体規制部材２２を通過（印刷が終了）した記録媒体は、ガイドローラー２３により上反り状態を矯正され、排紙ローラー２４により送り出され、排出口２５から外部へと排紙される。
【００２７】
次に、図１ないし図８を参照して、外装装置１３について説明する。外装装置１３は、搬送部１１および印刷部１２を搭載する装置フレーム３１と、搬送部１１および印刷部１２を搭載した状態で装置フレーム３１の両側部を覆う一対のサイドハウジング部３２と、一対のサイドハウジング部３２を連結するように設けられた連結ハウジング部３６と、を備えている。この場合、装置フレーム３１と、これに搭載された搬送部１１および印刷部１２等の内部装置により、装置アッセンブリが構成され、この装置アッセンブリを一対のサイドハウジング部３２および連結ハウジング部３６が覆う形態となっている。
【００２８】
図１（ｂ）に示すように、装置フレーム３１は、搬送部１１および印刷部１２が配設される樹脂製成形品のフレームベース３３と、フレームベース３３に支持されると共にＹ軸方向に幅一杯に延在する板金製のガイドフレーム３４と、を有している。なお、請求項に言う「補強フレーム」とは、ガイドフレーム３４を指す。
【００２９】
また、一対のサイドハウジング部３２は、図２および図３において、右側に配設されたハウジングライト部３２ａと、左側に配設されたハウジングレフト部３２ｂと、を有している。なお、一対のサイドハウジング部３２および連結ハウジング部３６は、それぞれ樹脂製成形品で形成されている。
【００３０】
図１（ｂ）、図２および図３に示すように、フレームベース３３は、記録装置２の底部を構成すると共に、記録媒体の搬送路の一部を構成するボトムフレーム部４１と、ボトムフレーム部４１に立設され、搬送部１１の各構成部材およびガイドフレーム３４を左右両側で支持する一対のサイドフレーム部４２と、ボトムフレーム部４１の前部において、スキャナー装置３の前部を支持すると共に操作部１４を支持する左右一対のフロントフレーム部４３と、ボトムフレーム部４１の後部において、ヒンジ部介してスキャナー装置３を開閉自在に支持する左右一対のリアフレーム部４４と、を有している。
【００３１】
ボトムフレーム部４１は、その他のフレーム部４２，４３，４４を介して各部を支持すると共に、それ自体が複合機１（記録装置２）の下面部分を構成している。すなわち、ボトムフレーム部４１がボトムケース（ハウジング）を兼ねている。
【００３２】
一対のサイドフレーム部４２は、図１ないし図３において、右側に配設されたライトフレーム部４２ａと、左側に配設されたレフトフレーム部４２ｂと、を有している。また、図４および図５に示すように、ライトフレーム部４２ａおよびレフトフレーム部４２ｂには、ハウジングライト部３２ａおよびハウジングレフト部３２ｂの内面部６０が添うようにして対峙する外面部５１が、それぞれ複数形成されている。なお、各外面部５１は、搭載した搬送部１１および印刷部１２の形状や配設位置により、ライトフレーム部４２ａとレフトフレーム部４２ｂとでは、異なる位置に形成されている。
【００３３】
図３および図４に示すように、ライトフレーム部４２ａの外面部５１は、格子状のリブで構成された格子面部５１ａと、矩形に形成された矩形面部５１ｂと、を有している。ライトフレーム部４２ａには、矩形面部５１ｂが、前方（下流側）に２箇所、後方（上流側）に１箇所、それぞれ形成されており、格子面部５１ａが、前後に形成された矩形面部５１ｂの間に広く形成されている。また、前方に形成された２箇所の矩形面部５１ｂの間および後方に形成された矩形面部５１ｂの近傍には、ハウジングライト部３２ａに突設された位置決め突起６２（後述する。）が遊挿される位置決め孔５２がそれぞれ形成されている。
【００３４】
他方、図５に示すように、レフトフレーム部４２ｂには、３つの矩形面部５１ｂが、右側のサイドフレーム部４２と同様の位置にそれぞれ形成されており、ライトフレーム部４２ａと同様に、位置決め孔５２が前後２箇所に開口している。
【００３５】
なお、レフトフレーム部４２ｂの近傍には、キャリッジ移動機構の動力部等が配設されているため、レフトフレーム部４２ｂには、格子面部５１ａを広範囲に形成することができない。そこで、レフトフレーム部４２ｂには、格子面部５１ａに代えて、ハウジングレフト部３２ｂを支持するための当接部５３が３箇所に設けられている（図５の破線円を参照）。詳細には、レフトフレーム部４２ｂの前側に設けられた矩形面部５１ｂの後側近傍において、Ｚ軸方向略中間にＸ軸方向に並んで２つ設けられ、その２つの上側にもう１つ設けられている。各当接部５３は、外面部５１が存在していない部分に形成され、ハウジングレフト部３２ｂの内面部６０に突設された３つのボス部７０（後述する。）が、それぞれ当接することでハウジングレフト部３２ｂを支持する。
【００３６】
図４および図５に示すように、ボトムフレーム部４１と各サイドフレーム部４２との間には、各サイドハウジング部３２にそれぞれ突設された２つのフック部６１（後述する。）が掛合する掛合部５４が、前後２箇所に設けられている。また、各サイドフレーム部４２の前方上側にも、掛合部５４が設けられている。つまり、各サイドフレーム部４２には、それぞれ３つの掛合部５４が設けられている。
【００３７】
続いて、図２、図３、図６ないし図８を参照して、一対のサイドハウジング部３２について説明する。一対のサイドハウジング部３２は、ライトフレーム部４２ａを覆うように取り付けられるハウジングライト部３２ａと、レフトフレーム部４２ｂを覆うように取り付けられるハウジングレフト部３２ｂと、を有し、記録装置２の外観の一部を構成する。ハウジングライト部３２ａおよびハウジングレフト部３２ｂは、それぞれ外面部５１の形状と相補的な形状となるように形成された内面部６０と、上記した３箇所の掛合部５４にそれぞれ掛合する３つのフック部６１と、上記した各位置決め孔５２に、それぞれ遊挿される一対の位置決め突起６２と、を有している。
【００３８】
ハウジングライト部３２ａの内面部６０は、格子面部５１ａおよび各矩形面部５１ｂの形状に添うように形成され（図６（ｂ）および図７参照）、他方、ハウジングレフト部３２ｂの内面部６０は、各矩形面部５１ｂの形状に添うように形成されている（図３および図８参照）。このように、各内面部６０は、格子面部５１ａや矩形面部５１ｂ（外面部５１）に対峙することとなるため、外力で各サイドハウジング部３２が撓んだとしても、外面部５１が内面部６０をしっかりと支持することができる。すなわち、各サイドハウジング部３２は、外装としての耐衝撃性を有する必要は無く、外観形状維持のための必要最低限の強度を有していればよい。
【００３９】
各フック部６１は、ハウジングライト部３２ａおよびハウジングレフト部３２ｂそれぞれの下端部前後に２箇所、前方上側に１箇所に配設されている。これらの各３つのフック部６１は、上記した３箇所の掛合部５４にそれぞれ掛合することで、一対のサイドハウジング部３２が装置フレーム３１に取り付けられる。
【００４０】
このように、一対のサイドハウジング部３２（ハウジングライト部３２ａおよびハウジングレフト部３２ｂ）は、各フック部６１と各掛合部５４との寸法公差からなる僅かな間隙を有した状態で装置フレーム３１に取り付けられる。すなわち、各フック部６１と各掛合部５４とが掛合したときの遊びが、装置フレーム３１とハウジングライト部３２ａまたはハウジングレフト部３２ｂとの間隙距離となる。また、この間隙距離は、装置フレーム３１と各サイドハウジング部３２とにおける製造誤差を考慮して設計されている。
【００４１】
一対の位置決め突起６２は、内面部６０の前方下側および後方下側にそれぞれ突設され、それぞれ対応する各位置決め孔５２に遊挿される。これにより、ハウジングライト部３２ａおよびハウジングレフト部３２ｂを、それぞれライトフレーム部４２ａおよびレフトフレーム部４２ｂに取り付ける際の大雑把な位置決めを容易に行うことができる。
【００４２】
図３および図６（ｂ）に示すように、ハウジングライト部３２ａの後方上側には、ライトフレーム部４２ａに設けられた雌ネジ部５５に対し、図外のネジにより固定されるネジ固定部６３が設けられている。
【００４３】
図３、図６（ａ）および図８に示すように、ハウジングレフト３５ｂの内面部６０には、上記した３つの当接部５３に、先端部分をそれぞれ接触させる３つのボス部７０が突設されている。これにより、外面部５１が存在しない部分であっても、レフトフレーム部４２ｂに対し、ハウジングレフト３５ｂを支持させることができる。また、外部からの衝撃を、ハウジングレフト３５ｂおよびレフトフレーム部４２ｂを介して装置フレーム３１全体に適切に伝えることができるため、耐衝撃性を向上させることができる。
【００４４】
図６（ａ）に示すように、各サイドハウジング部３２（ハウジングライト部３２ａおよびハウジングレフト部３２ｂ）が装置フレーム３１の外面部５１に添うことで、装置フレーム３１と各サイドハウジング部３２との間隙を極力小さく（狭く）することができる。このため、各サイドハウジング部３２のみならず、装置フレーム３１が、外部からの衝撃を受けることとなる。これにより、一対のサイドハウジング部３２が主な外観を形成する記録装置２の耐衝撃性を高く維持しつつ、小型化を図ることができる。
【００４５】
また、各サイドハウジング部３２の内面部６０に補強のためのリブ等を設ける必要がないため、各サイドハウジング部３２を薄く軽量に構成することができる。さらに、補強リブ等を省略することができるため、成形時に樹脂成形品の肉厚部分の表面に生じる所謂「ひけ」を防止することができる。これにより、各サイドハウジング部３２の表面に凹みができる等の外観不良を防止することができる。なお、装置フレーム３１と各サイドハウジング部３２との間隙は、０ｍｍ以上、０．５ｍｍ未満であることが好ましく、本実施形態では、約０．２ｍｍの間隙を有している。また、装置フレーム３１の外面部５１と各サイドハウジング部３２の内面部６０とは、微小な間隙を有した状態で互いに添うように設けられているが、互いに一部が接触するように設けられていてもよい。
【００４６】
図２、図３および図６（ｂ）に示すように、ハウジングライト部３２ａの上面は、Ｘ軸方向中央部分において上方に突出した凸面部６４と、凸面部６４の前後に位置し、凸面部６４より下方に窪んだ２つの凹面部６５と、凸面部６４と各凹面部６５との間に形成された２つの段差壁６６と、を有している。すなわち、ハウジングライト部３２ａの上面は、Ｘ軸方向に連なる凹凸形状をなしている。ハウジングライト部３２ａの後方の凹面部６５には、ライトフレーム部４２ａ側に向かって係合片６７が突設されている。また、後方の段差壁６６には、後述する連結ハウジング部３６の係合片６７が嵌合するように切り欠かれた切欠き部６８が形成されている（図６（ｂ）および図７参照）。
【００４７】
また同様に、図２および図３に示すように、ハウジングレフト部３２ｂの上面も凸面部６４と、凸面部６４の前方に位置する凹面部６５と、凸面部６４と凹面部６５とをつなぐ段差壁６６と、を有している。ハウジングレフト部３２ｂの凸面部６４の後方には、レフトフレーム部４２ｂ側に向かって係合片６７が突設されており、係合片６７は、連結ハウジング部３６の左端とハウジングレフト部３２ｂとを連結する。
【００４８】
さらに、図８に示すように、ハウジングレフト部３２ｂの内面部６０の上側には、連結ハウジング部３６の左端を固定するための切込７２が前後に並んで２箇所に形成された切込フランジ部７１が内側に向かって突設されている。
【００４９】
次に、図２、図３、図７および図８を参照して、連結ハウジング部３６について説明する。連結ハウジング部３６は、一対のサイドハウジング部３２を連結するように設けられている。連結ハウジング部３６は、ガイドフレーム３４上に当接する連結部本体８１と、連結部本体８１の左右両端部に形成され、一対のサイドハウジング部３２にそれぞれ係合する係合片６７および係合部８２と、連結部本体８１の左端下側に設けられ、ハウジングレフト部３２ｂの内側に形成された切込フランジ部７１の切込７２に掛合する２つの屈曲フック８３と、連結部本体８１の右端に設けられ、ハウジングライト部３２ａのネジ固定部６３に連通するネジ貫通部８４と、を有している。
【００５０】
図７および図８に示すように、連結部本体８１の下面には、ガイドフレーム３４上に当接する度当り部８１ａが、Ｙ軸（左右）方向に等間隔に３つ配設されている。連結ハウジング部３６（連結部本体８１）は、ガイドフレーム３４上に密着することで、高さ（Ｚ軸）方向の寸法を小さくすることに貢献している。これにより、さらに記録装置２の小型化を図ることができる。
【００５１】
連結部本体８１の右端には、連結ハウジング部３６およびハウジングライト部３２ａを装置フレーム３１に取り付けた際に、ハウジングライト部３２ａに設けられた係合片６７が係合する係合部８２が凹設されると共に、ハウジングライト部３２ａに設けられた切欠き部６８に嵌合する係合片６７が突設されている。
また同様に、連結部本体８１の左端には、連結ハウジング部３６およびハウジングレフト部３２ｂを装置フレーム３１に取り付けた際にハウジングレフト部３２ｂに設けられた係合片６７が係合する係合部８２が凹設されている。また、連結部本体８１の左端下側には、２つの屈曲フック８３が垂設されている。
【００５２】
したがって、連結ハウジング部３６は、後から前にスライドさせることにより、連結ハウジング部３６の係合片６７は、ハウジングライト部３２ａの切欠き部６８に嵌合し、ハウジングライト部３２ａおよびハウジングレフト部３２ｂの係合片６７は、それぞれ連結ハウジング部３６の下側に入り込む。また、２つの屈曲フック８３が、ハウジングレフト部３２ｂの内側に凸設した切込フランジ部７１に形成された２つの切込７２に掛合する。これにより、連結ハウジング部３６は、上方への抜け止め状態で固定され、互いの繋ぎ目部分で、連結ハウジング部３６および一対のサイドハウジング部３２が相互に浮き上がってしまうことが無い。
【００５３】
図３および図８に示すように、ネジ貫通部８４は、連結部本体８１の右端において、上方に設けられている。また、ネジ貫通部８４は、連結ハウジング部３６をガイドフレーム３４上に取り付けた際に、ライトフレーム部４２ａの雌ネジ部５５に対し、上方から覆い被さり、雌ネジ部５５のネジの螺合部分に連通する。すなわち、ネジ貫通部８４は、雌ネジ部５５と、ハウジングライト部３２ａのネジ固定部６３との間に挟まれた状態となる。このため、連結ハウジング部３６は、ハウジングライト部３２ａと一緒にライトフレーム部４２ａにネジ止め固定される。これにより、左右両端外側から圧縮されたとしても、連結ハウジング部３６により、一対のサイドハウジング部３２の間隔は、一定に保持され、装置フレーム３１（各サイドフレーム部４２）と各サイドハウジング部３２との間に設けられた僅かな間隙を一定に維持することができる。
【００５４】
以上の構成によれば、耐衝撃性を備え、且つ、薄く軽量な一対のサイドハウジング部３２を有した小型で軽量な記録装置２（複合機１）を構成することができる。
【符号の説明】
【００５５】
１：複合機、２：記録装置、１１：搬送部、１２：印刷部、２７：インクジェットヘッド、３１：装置フレーム、３２：サイドハウジング、３３：フレームベース、３４：ガイドフレーム、３６：連結ハウジング部、４１：ボトムフレーム部、４２：サイドフレーム部、５１：外面部、５１ａ：格子面部、５４：掛合部、５５：雌ネジ部、６０：内面部、６１：フック部、６３：ネジ固定部、７０：ボス部
【図１】
2012143959.tif 000003
【図２】
2012143959.tif 000004
【図３】
2012143959.tif 000005
【図４】
2012143959.tif 000006
【図５】
2012143959.tif 000007
【図６】
2012143959.tif 000008
【図７】
2012143959.tif 000009
【図８】
2012143959.tif 000010